(57)【要約】人工肛門（１０）を持つ人あるいは動物に用いられ、ストーマプレート（１５）の形をとる収集デバイスと、収集バッグ（１９）や同様の器具とが存するストーマプレート（１５）での装具であって、結腸（１０）を取り囲んでシールするためにストーマカフ（１）が配置され、当該ストーマカフ（１）は同時にストーマプレート（１５）あるいは同様の収集デバイスの他の部分にシールされた状態で接続されている。
2004506481.tif 000002
【特許請求の範囲】
【請求項１】
人工肛門（１０）を持つ人あるいは動物に用いられ、ストーマプレート（１５）の形をとる収集デバイスと、収集バッグ（１９）や同様の器具とが存するストーマプレート（１５）での装具であって、
結腸（１０）を取り囲んでシールするためにストーマカフ（１）が配置され、当該ストーマカフ（１）は同時にストーマプレート（１５）あるいは同様の収集デバイスの他の部分にシールされた状態で接続されていることを特徴とする装具。
【請求項２】
ストーマカフ（１）の一の端部は、フランジ状の面（３）を備えていることを特徴とする請求項１に記載の装具。
【請求項３】
フランジ状の面（３）の固定面は、接着剤（４）がコーティングされていることを特徴とする先の請求項のいずれかに記載の装具。
【請求項４】
ストーマカフ（１）は、クランプリング（２１）によって、ストーマプレート（１５）に固定されていることを特徴とする先の請求項のいずれかに記載の装具。
【請求項５】
ストーマカフ（１）は、一つ以上のクリップ（２２）によって、ストーマプレート（１５）に固定されていることを特徴とする先の請求項のいずれかに記載の装具。
【請求項６】
ストーマカフ（１）は、突出するカラー（２３）においてストーマプレート（１５）に固定されていることを特徴とする先の請求項のいずれかに記載の装具。
【発明の詳細な説明】
【０００１】
本発明は、人工肛門（ｃｏｌｏｓｔｏｍａ）をもつ人が用いるカフ（ｃｕｆｆ）に関する。カフは、結腸が引き出される場所の周囲の皮膚に便が接触することを防止するように設計されている。
【０００２】
相当な数の人々が、傷害や疾患のために、腹壁を貫通する結腸の引き出しを伴う手術を受けている。その解決策は、結腸から排出する便をバッグ内に集めることを必要とする。
【０００３】
便を集めるためのいくつかのほぼ同一の解決策が利用可能である。すべての解決策は、プレート、いわゆるストーマプレートを必要としている。いわゆるストーマプレートは、通常、軟質プラスチックから作られ、結腸の突出端部に適応される中央開口を備え、結腸を通じてガイドされ、結腸のそばの腹皮に接着剤ないし粘着剤で接着されている。皮膚から離れた側面側で、プレートは、プレートに対してシールする環状のビードを備えている。ビードのプロフィールないし断面は、種々の供給者の製品で変化するが、すべての場合で、便用の収集バッグいわゆるストーマバッグのための締結具を形成するように設計されている。
【０００４】
そのような多少標準化された解決策においては、突出している結腸の外側は、ある程度まで、やや腐食性である便にさらされる。さらなる問題は、ストーマプレートの下で結腸に沿って皮膚にまで便が入り込んでくることである。皮膚と便との間のそのような接触は、皮膚のただれや痛みを時間とともに引き起こすであろう。突出している結腸の突き合わせ端部と中央孔との間の領域に適用される特殊なクリームが漏れを抑え得ることは、知られている。しかしながら、その解決策は満足できるものではなく、使用者は、人工肛門の周囲の皮膚の痛みが通常のストーマプレートの締結を妨げるので、通常の生活を過ごすことができないということが分かっている。
【０００５】
本発明の目的は、先行技術の否定的な局面を改善することにある。
【０００６】
その目的は、本発明により、下記の説明および特許請求の範囲に明示された特徴によって達成される。
【０００７】
比較的軟らかい材料の切頭円錐体の形をなすストーマカフは、結腸の突出端部を覆って内側にガイドされ、そのテーパ状の端部は、結腸の外周をシールしている。円錐体のボトム部分は、突出する環状のフランジ状のプレートを備え、当該プレートの、円錐体のテーパ部分から離れた側面は、接着剤がコーティングされている。フランジ状のプレートの接着側面は、ストーマプレートの外側面に対して押し付けられ、シールするように接着される。これにより、結腸とストーマプレートとの間のシールが形成され、便が、ストーマプレートを貫通する結腸を引き出すための開口を通り、さらにストーマプレートの後の皮膚にまで入り込むことが防止される。
【０００８】
ストーマカフおよび締結方法のいくつかの実施形態が使用され得るが、最も関連するものを、図面を参照しつつ以下に説明する。
【０００９】
添付図面に図示される好ましい実施形態の制限されないいくつかの例が下記に記載されている。ここで、
図１は、収集システムの中に入り込む部分を示す分解断面図、
図２は、図１の構成要素を使用位置で示す断面図、
図３は、クランプリングを用いて締結する別方法を示す断面図、
図４は、クリップを用いて締結する別方法を示す断面図、
図５は、締結要素として、実際のストーマプレートを用いて締結する別方法を示す断面図、
図６は、ストーマカフがストーマプレートと一体化された部分を形成するようにした、締結する別方法を示す断面図、
図７は、ストーマカフがストーマプレートから突出したマウンティング部分上へガイドされるようにした、締結する別方法を示す断面図、および、
図８は、逆方向に取り付けられたストーマカフを示す断面図である。
【００１０】
図において、図１を参照して、符号１は、この発明によるストーマカフを示している。ストーマカフ１は、好ましくは、比較的軟らかい材料で製造され、当該ストーマカフ１のテーパ端部は、貫通する開口２を備え、さらに、ボトム端部は、フランジ面３を形成する一周する円板を備えている。フランジ面３は、ストーマカフ１と一体的な注型部分、あるいは、ストーマカフ１に取り付けられる分離したユニットであり得る。ストーマカフ１のテーパ端部から離れて面するフランジ面３の側面は、接着剤４がコーティングされている。
【００１１】
ストーマ造設手術を受けた人では、結腸１０は、通常、腹部の皮膚１１から突き出ている。円形あるいは矩形のストーマプレート１５は、使用者の皮膚１１に面する側面上に接着剤１８がコーティングされ、プレート１５と関連して本質的に中央の開口１６を有している。ストーマプレート１５の外側面には、環状のビード１７が密閉的に取り付けられている。この環状のビード１７は、ストーマバッグ１９における開口セクションの取付ビード２０に対して取り付けられてシールする。
【００１２】
先行技術によれば、使用に際して、ストーマプレート１５の開口１６は、結腸１０上にするりと嵌められる。図２を参照して、開口１６は、結腸１０の断面形状およびサイズにぴったりと嵌まりあうように、予め調整されている。ストーマプレート１５の接着剤１８は、皮膚１１に対して接着ないし粘着する。本発明によれば、ストーマカフ１は、結腸１０上にするりと嵌められ、それによって、ストーマカフのテーパ端部２は、シールするように結腸を取り囲んでいる。ストーマカフ１の接着剤４は、ストーマプレート１５の外側面に対して押し付けられ、シールするようにストーマプレート１５に接着している。したがって、漏れのないシールが、結腸１０とストーマプレート１５との間に形成される。
【００１３】
ストーマバッグ１９の取付ビード２０は、周知の方法で、ストーマカフ１５の環状のビード１７上にガイドされ、ストーマプレート１５とストーマバッグ１９との間の漏れのないジョイントを形成している。
【００１４】
他の実施形態では、図３を参照して、ストーマカフ１は、クランプリング２１によって、ストーマプレート１５にしっかりと締結されている。クランプリングは、いくつかの適切な形状が与えられ得るが、図においては、ビード１７とフランジ面３との間を補強ないし支える円盤状のテンション要素が示されている。
【００１５】
さらに他の実施形態において、ストーマカフ１は、ストーマプレート１５における取付点とフランジ面３との間を補強ないし支えるクリップ２２によって、ストーマプレート１５にしっかりと締結されている。ストーマプレート１５における種々のタイプのクリップのための取付点は、斜面、リップ、窓あるいは取り囲む溝のような他の適切な形状が与えられ得る。図５を参照して、ストーマカフ１はまた、ストーマプレート１５の接着面側から導き込むこともできる。
【００１６】
さらに他の実施形態において、図６を参照して、ストーマカフ１は、ストーマプレート１５や同じ目的のために使用される他のタイプの収集デバイスの一体部分ないし不可欠な部分を形成することができ、その収集デバイスとともに製造され得る。
【００１７】
さらなる実施形態において、図７を参照して、ストーマカフ１は、ストーマプレートから突出するカラー２３ないし留め輪上に、取り囲むように、するりと嵌められる。
【００１８】
ストーマカフ１の形状は、図１〜７に示される円錘体の形状に限定されることはなく、円盤、ベローズ、スリーブあるいは曲線状デザインのような他の適切な形状とすることもできる。ストーマカフの機能は、ストーマプレート１５あるいは他の収集デバイスに対してシールする一方、当該ストーマカフを結腸１０に対して取り囲んでシールするように配置することによって、発揮される。
【００１９】
図８を参照して、使用者の皮膚がただれて、ストーマプレート１５の皮膚１１への取り付けが望ましくないときには、カフ１を、ストーマプレート１５の背面から突出させて結腸１０を取り囲むように、回転させることも可能である。
【図面の簡単な説明】
【図１】収集システムの中に入り込む部分を示す分解断面図である。
【図２】図１の構成要素を使用位置で示す断面図である。
【図３】クランプリングを用いて締結する別方法を示す断面図である。
【図４】クリップを用いて締結する別方法を示す断面図である。
【図５】締結要素として、実際のストーマプレートを用いて締結する別方法を示す断面図である。
【図６】ストーマカフがストーマプレートと一体化された部分を形成するようにした、締結する別方法を示す断面図である。
【図７】ストーマカフがストーマプレートから突出したマウンティング部分上へガイドされるようにした、締結する別方法を示す断面図である。
【図８】逆方向に取り付けられたストーマカフを示す断面図である。
【国際公開パンフレット】
2004506481.tif 000003
2004506481.tif 000004
2004506481.tif 000005
2004506481.tif 000006
2004506481.tif 000007
2004506481.tif 000008
2004506481.tif 000009
2004506481.tif 000010
2004506481.tif 000011
2004506481.tif 000012
2004506481.tif 000013
2004506481.tif 000014
2004506481.tif 000015
2004506481.tif 000016
2004506481.tif 000017
2004506481.tif 000018
2004506481.tif 000019
2004506481.tif 000020
【国際公開パンフレット（コレクトバージョン）】
2004506481.tif 000021
2004506481.tif 000022
2004506481.tif 000023
2004506481.tif 000024
2004506481.tif 000025
2004506481.tif 000026
2004506481.tif 000027
2004506481.tif 000028
2004506481.tif 000029
2004506481.tif 000030
2004506481.tif 000031
2004506481.tif 000032
2004506481.tif 000033
2004506481.tif 000034
2004506481.tif 000035
2004506481.tif 000036
2004506481.tif 000037
2004506481.tif 000038
【手続補正書】
【提出日】平成14年9月6日(2002.9.6)
【手続補正１】
【補正対象書類名】明細書
【補正対象項目名】特許請求の範囲
【補正方法】変更
【補正の内容】
【特許請求の範囲】
【請求項１】
人工肛門（１０）を持つ人あるいは動物に用いられ、ストーマプレート（１５）の形をとる収集デバイスと、収集バッグ（１９）や同様の器具とが存するストーマプレート（１５）での装具であって、
結腸（１０）が膨張および収縮するときに結腸（１０）とともに動くように配される接触周線の周囲をめぐって結腸（１０）をシールするためにストーマカフ（１）が配置され、当該ストーマカフ（１）は同時にストーマプレート（１５）あるいは同様の収集デバイスの他の部分にシールされた状態で接続されていることを特徴とする装具。
【請求項２】
ストーマカフ（１）は、切頭円錐体の形をなしていることを特徴とする請求項１に記載の装具。
【請求項３】
ストーマカフ（１）の一の端部は、フランジ状の面（３）を備えていることを特徴とする先の請求項のいずれかに記載の装具。
【請求項４】
フランジ状の面（３）の固定面は、接着剤（４）がコーティングされていることを特徴とする先の請求項のいずれかに記載の装具。
【請求項５】
ストーマカフ（１）は、ストーマプレート（５）に密着されていることを特徴とする先の請求項のいずれかに記載の装具。
【請求項６】
ストーマカフ（１）は、クランプリング（２１）によって、ストーマプレート（１５）に固定されていることを特徴とする先の請求項のいずれかに記載の装具。
【請求項７】
ストーマカフ（１）は、一つ以上のクリップ（２２）によって、ストーマプレート（１５）に固定されていることを特徴とする先の請求項のいずれかに記載の装具。
【請求項８】
ストーマカフ（１）は、突出するカラー（２３）においてストーマプレート（１５）に固定されていることを特徴とする先の請求項のいずれかに記載の装具。
【国際調査報告】
2004506481.tif 000039
2004506481.tif 000040
2004506481.tif 000041